(57)【要約】【課題】制御部への電源供給及び制御部の電源維持を安定して行うことができ、太陽光システムの設計及び太陽光システムと系統との連系設定をより簡単かつ容易に行うことができ、系統の異常発生に対する太陽光システムの対応運転制御を行うことができ、系統の異常発生に対して正確、適切かつ効率的に対処することができる系統連系太陽光発電システムを提供する。【解決手段】本発明による系統連系太陽光発電システムは、系統に異常が発生して電源供給が停止されると太陽光システムの運転対応時間の間制御部の電源を維持する電源維持部を含む。【選択図】図１
2016082874.tif 000002
【特許請求の範囲】
【請求項１】
系統連系太陽光発電システムにおいて、
前記系統に連系して運転される太陽光システムと、
前記系統から供給された電源により起動されて前記太陽光システムの運転を制御する制御部とを含み、
前記制御部は、
前記系統に異常が発生して電源供給が停止されると前記太陽光システムの運転対応時間の間電源を維持する電源維持部と、
前記系統に接続され、前記系統から供給された電源を起動電源に変換するスイッチング電源供給装置と、
前記起動電源により起動されて前記太陽光システムの運転を制御する制御ユニットとを含む、系統連系太陽光発電システム。
【請求項２】
前記太陽光システムは、
ＤＣ電力を発電するＰＶアレイと、
前記ＰＶアレイで発電された前記ＤＣ電力を前記系統に供給可能な形態に変換する電力変換装置とを含み、
前記電力変換装置は、
前記ＤＣ電力をＡＣ電力に変換するインバータと、
前記ＡＣ電力をフィルタリングするフィルタとを含む、請求項１に記載の系統連系太陽光発電システム。
【請求項３】
前記電力変換装置は、
前記ＤＣ電力の大きさを変換するコンバータをさらに含む、請求項２に記載の系統連系太陽光発電システム。
【請求項４】
前記太陽光システムは、前記系統に異常が発生すると、前記系統との連系を遮断する、請求項１〜３のいずれか一項に記載の系統連系太陽光発電システム。
【請求項５】
前記制御部は、前記系統に異常が発生すると、前記電源維持部により電源が維持され、前記太陽光システムの運転対応時間の間前記太陽光システムの運転を制御する、請求項１〜４のいずれか一項に記載の系統連系太陽光発電システム。
【請求項６】
前記制御部は、前記太陽光システムの運転対応時間の間前記系統及び前記太陽光システムの状況に基づいて前記太陽光システムの運転を継続するか停止するかを判断し、前記判断の結果に応じて前記太陽光システムの運転が継続又は停止されるように制御する、請求項５に記載の系統連系太陽光発電システム。
【請求項７】
前記電源維持部は、前記制御部の電源を維持する時定数が前記太陽光システムの運転対応時間と等しくなる容量のコンデンサからなる、請求項１〜６のいずれか一項に記載の系統連系太陽光発電システム。
【請求項８】
前記コンデンサは、電解コンデンサ又はスーパーコンデンサのいずれかである、請求項７に記載の系統連系太陽光発電システム。
【請求項９】
前記電源維持部は、前記制御部から分離可能な構造からなり、交換可能である、請求項１〜８のいずれか一項に記載の系統連系太陽光発電システム。
【発明の詳細な説明】
【技術分野】
【０００１】
本発明は、系統連系太陽光発電システムに関し、特に、系統に異常が発生して電源供給が停止されると、太陽光システムの運転を制御する制御部の電源が太陽光システムの運転対応時間の間維持される系統連系太陽光発電システムに関する。
【背景技術】
【０００２】
太陽光発電システムとは、光起電力効果（Photovoltaic Effect）により太陽電池で生産される直流電気を交流電気に変換するシステムを意味し、太陽電池、電力変換装置（ＰＣＳ）及び系統から構成される。太陽光発電システムは、大きく独立システム（Stand-alone system）と系統連系システム（Grid-connected system）に分けられ、一般に、大容量系統連系太陽光システムは、太陽電池、ＤＣリンク端、ＤＣ／ＡＣインバータ、ＬＣフィルタ及び変圧器から構成される。系統連系は規定要件に基づいて行われなければならないが、この系統連系についての要件をＦＲＴ（Fault Ride Through）という。ＦＲＴ要件とは、瞬時電圧低下や周波数異常などの系統の外乱が発生した場合に解列しないでインバータ運転を継続するか停止するかの要件を意味する。
【０００３】
図４は従来の分散電源におけるＦＲＴの概念図である。
【０００４】
図５は従来の分散電源におけるＦＲＴ要件を例示する表である。
【０００５】
図４に示すように、分散電源の導入が拡大して電力系統に広域、大量に連系された場合は、電力系統の外乱により一斉に解列すると電力品質に大きな影響を与える恐れがあるので、これを防止するためにＦＲＴ機能が重要である。どの程度の電力系統の外乱に対して解列しないで運転を継続するかについての具体的な規定を図５の表に例示する。
【０００６】
ここで、解列とは、分散電源と系統との連系が遮断されることを意味する。
【０００７】
図６Ａは従来の小容量系統連系太陽光発電システムの構成図である。
【０００８】
図６Ａに示すような従来の小容量系統連系太陽光発電システムは、太陽光アレイ、コンバータ、インバータ、フィルタ及び系統からなり、システムコントローラの電源としては太陽光アレイで発電された電源を用い、ＳＭＰＳ（Switching Mode Power Supply）を設計して電源供給を行う。
【０００９】
図６Ｂは従来の大容量系統連系太陽光発電システムの構成図である。
【００１０】
図６Ｂに示すような従来の大容量系統連系太陽光発電システムは、太陽光アレイ、インバータ、系統連系装置及び系統からなり、システムコントローラの電源としては系統電源を用い、商用ＳＭＰＳを用い、ＵＰＳ（Uninterruptible Power Supply）を並列に接続してＦＲＴへの対応のための電源供給を行う。
【発明の概要】
【発明が解決しようとする課題】
【００１１】
従来の小容量系統連系太陽光発電システムにおいては、太陽光アレイの入力電圧仕様に合うＤＣ−ＤＣ ＳＭＰＳの設計を必要とし、ＳＭＰＳの整合性と高い信頼性が要求されるという欠点があった。
【００１２】
従来の大容量系統連系太陽光発電システムにおいては、ＵＰＳのコストが追加され、ＵＰＳが常時待機しなければならないのでＵＰＳの待機電力の分だけ太陽光発電システム全体の効率が低下するという欠点があった。
【００１３】
本発明は、このような従来技術の問題を解決するためになされたものであり、系統に異常が発生して電源供給が停止されると、制御部の電源が太陽光システムの運転対応時間の間維持される系統連系太陽光発電システムを提供することを目的とする。
【課題を解決するための手段】
【００１４】
上記課題を解決するために、本発明による系統連系太陽光発電システムは、前記系統に連系して運転される太陽光システムと、前記系統から供給された電源により起動されて前記太陽光システムの運転を制御する制御部とを含み、前記制御部は、前記系統に異常が発生して電源供給が停止されると前記太陽光システムの運転対応時間の間電源を維持する電源維持部を含む。
【００１５】
一実施形態において、前記太陽光システムは、ＤＣ電力を発電するＰＶアレイと、前記ＰＶアレイで発電された前記ＤＣ電力を前記系統に供給可能な形態に変換する電力変換装置とを含み、前記電力変換装置は、前記ＤＣ電力をＡＣ電力に変換するインバータと、前記ＡＣ電力をフィルタリングするフィルタとを含んでもよい。
【００１６】
一実施形態において、前記電力変換装置は、前記ＤＣ電力の大きさを変換するコンバータをさらに含んでもよい。
【００１７】
一実施形態において、前記太陽光システムは、前記系統に異常が発生すると、前記系統との連系を遮断するようにしてもよい。
【００１８】
一実施形態において、前記制御部は、前記系統に接続され、前記系統から供給された電源を起動電源に変換するスイッチング電源供給装置と、前記起動電源により起動されて前記太陽光システムの運転を制御する制御ユニットとをさらに含んでもよい。
【００１９】
一実施形態において、前記制御部は、前記系統に異常が発生すると、前記電源維持部により電源が維持され、前記太陽光システムの運転対応時間の間前記太陽光システムの運転を制御するようにしてもよい。
【００２０】
一実施形態において、前記制御部は、前記太陽光システムの運転対応時間の間前記系統及び前記太陽光システムの状況に基づいて前記太陽光システムの運転を継続するか停止するかを判断し、前記判断の結果に応じて前記太陽光システムの運転が継続又は停止されるように制御するようにしてもよい。
【００２１】
一実施形態において、前記電源維持部は、前記制御部の電源を維持する時定数が前記太陽光システムの運転対応時間と等しくなる容量のコンデンサからなるようにしてもよい。
【００２２】
一実施形態において、前記コンデンサは、電解コンデンサ又はスーパーコンデンサのいずれかであってもよい。
【００２３】
一実施形態において、前記電源維持部は、前記制御部から分離可能な構造からなり、交換可能にしてもよい。
【発明の効果】
【００２４】
本発明による系統連系太陽光発電システムは、系統に異常が発生して電源供給が停止されると太陽光システムの運転対応時間の間制御部の電源を維持する電源維持部を含むことにより、制御部への電源供給及び制御部の電源維持を安定して行えるという効果がある。
【００２５】
本発明による系統連系太陽光発電システムは、系統に異常が発生して電源供給が停止されると太陽光システムの運転対応時間の間制御部の電源を維持する電源維持部を含むことにより、太陽光システムの設計及び太陽光システムと系統との連系設定をより簡単かつ容易に行えるという効果がある。
【００２６】
本発明による系統連系太陽光発電システムは、系統に異常が発生して電源供給が停止されると、制御部の電源が太陽光システムの運転対応時間の間維持されることにより、系統の異常発生に対する太陽光システムの対応運転制御が可能になるという効果がある。
【００２７】
本発明による系統連系太陽光発電システムは、太陽光システムの運転対応時間の間制御部の電源が維持され、系統の異常発生に対する太陽光システムの対応運転制御が可能になることにより、系統の異常発生に対して正確、適切かつ効率的に対処できるという効果がある。
【００２８】
本発明による系統連系太陽光発電システムは、太陽光システムの運転対応時間の間制御部の電源が維持され、系統の異常発生に対する太陽光システムの対応運転制御が可能になることにより、系統の異常から太陽光システムを保護して異常の拡大を防止できるという効果がある。
【００２９】
本発明による系統連系太陽光発電システムは、系統の異常発生に対する太陽光システムの対応運転制御が可能になり、系統の異常から太陽光システムを保護して異常の拡大を防止することにより、系統及び太陽光システムに含まれる設備などの焼損を防止し、系統及び太陽光システムの寿命が延びるという効果がある。
【図面の簡単な説明】
【００３０】
【図１】本発明による系統連系太陽光発電システムの構成図である。
【図２】本発明による系統連系太陽光発電システムの一実施形態の構成図である。
【図３】本発明による系統連系太陽光発電システムの一実施形態の他の適用例を示す図である。
【図４】従来の分散電源におけるＦＲＴの概念図である。
【図５】従来の分散電源におけるＦＲＴ要件を例示する表である。
【図６Ａ】従来の小容量系統連系太陽光発電システムの構成図である。
【図６Ｂ】従来の大容量系統連系太陽光発電システムの構成図である。
【発明を実施するための形態】
【００３１】
本発明は、系統連系太陽光発電システムに適用することができる。しかし、本発明は、これに限定されるものではなく、本発明の技術思想を適用できる全ての系統連系太陽光発電システム、非常用発電システム、分散電源システム、再生可能エネルギー発電システムなどにも適用することができる。なお、再生可能エネルギー発電とは、再生可能エネルギーを利用した環境にやさしい発電をいい、例えば、太陽熱発電、バイオマス発電、小水力発電、海洋エネルギー発電、廃棄物エネルギー発電、地熱発電、風力発電、燃料電池発電などを含む。
【００３２】
本明細書で使用される技術用語は、単に特定の実施形態を説明するために使用されるものであり、本発明を限定するものではない。また、本明細書で使用される技術用語は、本明細書において特に断らない限り、本発明の属する技術の分野における通常の知識を有する者に一般的に理解される意味で解釈されるべきであり、非常に包括的な意味で解釈されたり、非常に狭い意味で解釈されるべきではない。さらに、本明細書で使用される技術用語が本発明の思想を正確に表現できない間違った技術用語である場合は、当業者が正しく理解できる技術用語で代替して理解すべきである。さらに、本明細書で使用される一般的な用語は、辞書の定義に従って、又は前後の文脈によって解釈されるべきであり、非常に狭い意味で解釈されるべきではない。
【００３３】
そして、本明細書で使用される単数の表現は、特に断らない限り、複数の表現を含む。本明細書において、「構成される」や「含む」などの用語は、明細書に記載された様々な構成要素又は段階の全てを必ず含むものと解釈されるべきではなく、そのうち一部の構成要素又は段階を含まないこともあり、追加の構成要素又は段階をさらに含むこともあるものと解釈されるべきである。
【００３４】
以下、添付図面を参照して本発明の実施形態を詳細に説明するが、図面番号に関係なく同一又は類似の構成要素には同一の符号を付して重複する説明は省略する。
【００３５】
また、本発明を説明するにあたって、関連する公知技術についての具体的な説明が本発明の要旨を不明にすると判断される場合は、その詳細な説明を省略する。なお、添付図面は本発明の思想を容易に理解できるようにするためのものにすぎず、添付図面により本発明の思想が制限されるように解釈されるべきではない。
【００３６】
以下、図１〜図３を参照して、本発明による系統連系太陽光発電システムについて説明する。
【００３７】
図１は本発明による系統連系太陽光発電システムの構成図である。
【００３８】
図２は本発明による系統連系太陽光発電システムの一実施形態の構成図である。
【００３９】
図３は本発明による系統連系太陽光発電システムの一実施形態の他の適用例を示す図である。
【００４０】
図１に示すように、系統連系太陽光発電システム５００（以下、単に発電システム５００という。）は、系統１００に連系して運転される太陽光システム２００と、系統１００から供給された電源により起動されて太陽光システム２００の運転を制御する制御部３００とを含み、制御部３００は、系統１００に異常が発生して電源供給が停止されると電源を太陽光システム２００の運転対応時間の間維持する電源維持部３１０を含む。
【００４１】
系統１００とは、電力エネルギーの需給及び供給が行われるシステムをいい、複数の発電所、変電所及び送配電線が一体となっていて電力の発電及び送配電が行われる無限大母線システムを意味する。
【００４２】
系統１００は、電力消費が行われる需要家、需要家群及び需要設備を含む負荷に接続され、前記負荷に電力を供給するようにしてもよい。
【００４３】
系統１００は、太陽光システム２００に連系して、太陽光システム２００で発電された電力の供給を受け、前記負荷に供給するようにしてもよい。
【００４４】
すなわち、系統１００は、複数の発電、送電、変電、配電、負荷間の電力受供給が行われる電力の流通経路といえる。
【００４５】
太陽光システム２００とは、太陽光発電原理を利用した電力の発電、発電した電力の変換及び供給を行う電力システムを意味する。
【００４６】
太陽光システム２００は、系統１００に連系して、発電した電力を系統１００に供給するようにしてもよい。
【００４７】
太陽光システム２００は、系統１００に連系されると運転が行われるようにしてもよい。
【００４８】
すなわち、太陽光システム２００は、系統１００との連系が運転条件であり得る。
【００４９】
太陽光システム２００は、系統１００との連系が遮断されると運転を停止するようにしてもよい。
【００５０】
すなわち、太陽光システム２００は、系統１００に異常が発生したり系統１００との連系条件を満たさなくなって系統１００との連系が遮断されると、運転を停止するようにしてもよい。
【００５１】
太陽光システム２００は、系統１００に連系して運転され、かつ制御部３００により制御されて運転が行われるようにしてもよい。
【００５２】
すなわち、太陽光システム２００は、制御部３００により制御されなくなると運転を停止するようにしてもよい。
【００５３】
制御部３００とは、太陽光システム２００の運転を制御する中央制御部を意味する。
【００５４】
制御部３００は、系統１００に接続され、系統１００から供給された電源により起動されるようにしてもよい。
【００５５】
制御部３００は、系統１００から電源が供給されて起動した状態で太陽光システム２００の運転を制御する。
【００５６】
制御部３００は、系統１００に異常が発生して電源供給が停止されると、電源維持部３１０により太陽光システム２００の運転対応時間の間電源が維持され、太陽光システム２００の運転を制御するようにしてもよい。
【００５７】
すなわち、系統１００に異常が発生して系統１００からの電源供給が停止されると、電源維持部３１０が太陽光システム２００の運転対応時間の間制御部３００の電源を維持し、制御部３００が太陽光システム２００の運転を太陽光システム２００の運転対応時間の間制御できるようにする。
【００５８】
前述したように太陽光システム２００と電源維持部３１０を含む制御部３００とを含む発電システム５００は、図２及び図３に示すような形態で実施することができる。以下、図２及び図３を参照して、本発明による系統連系太陽光発電システムの一実施形態を説明する。
【００５９】
発電システム５００において、太陽光システム２００は、系統１００に連系して運転される。
【００６０】
太陽光システム２００は、ＤＣ電力を発電するＰＶアレイ２１０と、ＰＶアレイ２１０で発電された前記ＤＣ電力を系統１００に供給可能な形態に変換する電力変換装置２２０とを含んでもよい。
【００６１】
ＰＶアレイ２１０とは、光起電力効果の原理で太陽電池セルに光を照射して電気を発生する発電設備をいい、前記太陽電池セルをモジュール化した太陽光モジュール、前記太陽光モジュールを複数接続して用途に応じたアレイの形態で実施される設備又は設備群を意味する。
【００６２】
ＰＶアレイ２１０は、前記ＤＣ電力の形態で電力を発電するようにしてもよい。
【００６３】
電力変換装置２２０は、ＰＶアレイ２１０と系統１００との間に接続され、ＰＶアレイ２１０で発電された前記ＤＣ電力を系統１００に供給可能な形態に変換し、系統１００に供給するようにしてもよい。
【００６４】
電力変換装置２２０は、前記ＤＣ電力をＡＣ電力に変換するインバータ２２１と、前記ＡＣ電力をフィルタリングするフィルタ２２２とを含んでもよい。
【００６５】
インバータ２２１は、前記ＤＣ電力を系統１００に供給可能な前記ＡＣ電力に変換するようにしてもよい。
【００６６】
インバータ２２１は、前記ＤＣ電力を前記ＡＣ電力に変換するが、系統１００に供給可能な大きさに変換するようにしてもよい。
【００６７】
例えば、系統１００で使用する電圧が２２．９［ＫＶ］の場合、インバータ２２１は、前記ＤＣ電力を２２．９［ＫＶ］のＡＣ電力に変換するようにしてもよい。
【００６８】
フィルタ２２２は、インバータ２２１で変換されたＡＣ電力をフィルタリングし、そのフィルタリングされたＡＣ電力が系統１００に供給されるようにしてもよい。
【００６９】
電力変換装置２２０は、ＰＶアレイ２１０で発電されたＤＣ電力の大きさを変換するコンバータ２２３をさらに含んでもよい。
【００７０】
コンバータ２２３は、ＰＶアレイ２１０で発電されたＤＣ電力の大きさを、インバータ２２１での変換が容易な大きさに変換するようにしてもよい。
【００７１】
例えば、ＰＶアレイ２１０で発電されたＤＣ電力の電圧が４００［Ｖ］、インバータ２２１の入力電圧が６００［Ｖ］の場合、コンバータ２２３は、前記ＤＣ電力の電圧を６００［Ｖ］に変換するようにしてもよい。
【００７２】
太陽光システム２００は、系統１００に異常が発生すると、系統１００との連系を遮断するようにしてもよい。
【００７３】
例えば、系統１００に外乱が発生すると、系統１００に連系された太陽光システム２００にも外乱による影響が与えられて異常が発生するので、系統１００に外乱などの異常が発生すると太陽光システム２００と系統１００との連系を遮断する。
【００７４】
太陽光システム２００と系統１００との連系及びその遮断は、制御部３００により制御されるようにしてもよい。
【００７５】
制御部３００は、系統１００に接続され、系統１００から供給された電源を起動電源に変換するスイッチング電源供給装置３２０と、前記起動電源により起動されて太陽光システム２００の運転を制御する制御ユニット３３０とをさらに含んでもよい。
【００７６】
スイッチング電源供給装置３２０は、系統１００から供給された入力電源を、制御部３００又は制御部３００に含まれる制御ユニット３３０を起動できる大きさ及び形態の起動電源に変換して出力する電源供給装置であってもよい。
【００７７】
スイッチング電源供給装置３２０は、入力電源をスイッチングして所定の出力電源に変換するようにしてもよい。
【００７８】
制御ユニット３３０は、太陽光システム２００の運転を制御する専用の制御ユニットであってもよい。
【００７９】
スイッチング電源供給装置３２０及び制御ユニット３３０が接続される線路に電源維持部３１０が含まれ、スイッチング電源供給装置３２０から出力される前記起動電源が電源維持部３１０を介して制御ユニット３３０に入力されるようにしてもよい。
【００８０】
すなわち、電源維持部３１０は、スイッチング電源供給装置３２０の出力端と制御ユニット３３０の入力端との間に配置されてもよい。
【００８１】
電源維持部３１０は、スイッチング電源供給装置３２０から出力される前記起動電源が充電される装置又は設備からなるようにしてもよい。
【００８２】
電源維持部３１０は、前記起動電源を充電し、系統１００に異常が発生して系統１００からの電源供給が停止されると前記充電された起動電源を制御部３００に供給することにより、制御部３００の電源を維持するようにしてもよい。
【００８３】
電源維持部３１０は、前記起動電源を太陽光システム２００の運転対応時間の間制御部３００に供給するようにしてもよい。
【００８４】
制御部３００は、系統１００に異常が発生すると、電源維持部３１０により電源が維持され、太陽光システム２００の運転対応時間の間太陽光システム２００の運転を制御するようにしてもよい。
【００８５】
すなわち、系統１００に異常が発生した場合に太陽光システム２００においてそれに対する対応運転が行われるようにするために、太陽光システム２００の運転対応時間の間、電源維持部３１０により制御部３００の電源を維持し、制御部３００により太陽光システム２００の運転を制御するようにしてもよい。
【００８６】
前記運転対応時間は、図５の表に示すようなＦＲＴ要件による時間であってもよい。
【００８７】
制御部３００は、前記運転対応時間の間系統１００及び太陽光システム２００の状況に基づいて太陽光システム２００の運転を継続するか停止するかを判断し、前記判断の結果に応じて太陽光システム２００の運転が継続又は停止されるように制御するようにしてもよい。
【００８８】
前記判断の結果及び前記判断の結果に応じた太陽光システム２００の対応運転は、図５の表に示すようなＦＲＴ要件に基づいて判断され、制御されるようにしてもよい。
【００８９】
電源維持部３１０が系統１００に発生した異常に対する太陽光システム２００の運転対応時間の間制御部３００の電源を維持し、制御部３００が太陽光システム２００を前記運転対応時間の間制御することにより、太陽光システム２００のＦＲＴ要件に基づいた発電システム５００のＦＲＴ機能を実行することができる。
【００９０】
電源維持部３１０は、制御部３００の電源を維持する時定数が前記運転対応時間と等しくなる容量のコンデンサからなるようにしてもよい。
【００９１】
すなわち、制御部３００の電源を維持する電源維持部３１０の時定数である前記運転対応時間は、電源維持部３１０が前記充電された起動電源を制御部３００に供給する時間であり、制御部３００の電源を維持する時間であり、制御部３００が太陽光システム２００の運転を制御する時間であり、系統１００に異常が発生した場合に太陽光システム２００の運転継続が必要な時間であり、また、太陽光システム２００の対応運転が行われる時間であるといえる。
【００９２】
前記コンデンサは、電解コンデンサ又はスーパーコンデンサのいずれかであってもよい。
【００９３】
すなわち、電源維持部３１０は、電解コンデンサ又はスーパーコンデンサのいずれかのコンデンサからなり、容量によって決定される時定数が前記運転対応時間と等しくなる容量を有するようにしてもよい。
【００９４】
また、電源維持部３１０は、制御部３００から分離可能な構造からなり、交換可能にしてもよい。
【００９５】
すなわち、前記ＦＲＴ要件の変更又は系統１００及び太陽光システム２００の構造及び設定の変更により前記運転対応時間の変更が必要となった場合、電源維持部３１０をそれに合う容量のコンデンサに交換することにより、発電システム５００のＦＲＴ機能が正確かつ適切に行われるようにすることができる。
【００９６】
前述したような発電システム５００は、図３に示す回路構成のようにすることができるが、図３に示す回路構成が発電システム５００の必須構成であるわけではなく、図示の回路において１つ又は複数の構成が追加又は削除された形態で実施することもできる。
【００９７】
太陽光システム２００は、図３に示す回路構成のように、Ｒ、Ｓ及びＴ相の三相からなるようにしてもよく、電力変換装置２２０には、電流及び電圧を測定するＣＴ（Current Transformer）及びＰＴ（Potential Transformer）、系統１００との連系を制御するためのＭＣスイッチ、及び前記ＭＣスイッチのスイッチング時に発生する突入電流を防止する初充電回路、高調波をフィルタリングするＥＭＣフィルタなどがさらに含まれてもよく、インバータ２２１の前段にコンバータ２２３がさらに含まれてもよい。また、制御部３００の制御ユニット３３０は、インバータ２２１を制御することができる。
【００９８】
本発明による系統連系太陽光発電システムは、当該技術思想を適用できる全ての系統連系太陽光発電システム及び非常用発電システムに適用して実施することができる。
【００９９】
本発明による系統連系太陽光発電システムは、当該技術思想を適用できる分散電源システム及び再生可能エネルギー発電システムにも適用して実施することができる。
【０１００】
本発明による系統連系太陽光発電システムは、系統に異常が発生して電源供給が停止されると太陽光システムの運転対応時間の間制御部の電源を維持する電源維持部を含むことにより、制御部への電源供給及び制御部の電源維持を安定して行えるという効果がある。
【０１０１】
本発明による系統連系太陽光発電システムは、系統に異常が発生して電源供給が停止されると太陽光システムの運転対応時間の間制御部の電源を維持する電源維持部を含むことにより、太陽光システムの設計及び太陽光システムと系統との連系設定をより簡単かつ容易に行えるという効果がある。
【０１０２】
本発明による系統連系太陽光発電システムは、系統に異常が発生して電源供給が停止されると、制御部の電源が太陽光システムの運転対応時間の間維持されることにより、系統の異常発生に対する太陽光システムの対応運転制御が可能になるという効果がある。
【０１０３】
本発明による系統連系太陽光発電システムは、太陽光システムの運転対応時間の間制御部の電源が維持され、系統の異常発生に対する太陽光システムの対応運転制御が可能になることにより、系統の異常発生に対して正確、適切かつ効率的に対処できるという効果がある。
【０１０４】
本発明による系統連系太陽光発電システムは、太陽光システムの運転対応時間の間制御部の電源が維持され、系統の異常発生に対する太陽光システムの対応運転制御が可能になることにより、系統の異常から太陽光システムを保護して異常の拡大を防止できるという効果がある。
【０１０５】
本発明による系統連系太陽光発電システムは、系統の異常発生に対する太陽光システムの対応運転制御が可能になり、系統の異常から太陽光システムを保護して異常の拡大を防止することにより、系統及び太陽光システムに含まれる設備などの焼損を防止し、系統及び太陽光システムの寿命が延びるという効果がある。
【０１０６】
以上説明した本発明の好ましい実施形態は本発明の技術的課題を解決するためのものであり、本発明の属する技術の分野における通常の知識を有する者であれば、本発明の思想及び範囲内において様々な修正、変更、付加などが可能であり、これらの修正、変更、付加などが本発明に含まれることは言うまでもない。
【符号の説明】
【０１０７】
１００    系統
２００    太陽光システム
２１０    ＰＶアレイ
２２０    電力変換装置
２２１    インバータ
２２２    フィルタ
２２３    コンバータ
３００    制御部
３１０    電源維持部
３２０    スイッチング電源供給装置
３３０    制御ユニット
５００    系統連系太陽光発電システム
【図１】
2016082874.tif 000003
【図２】
2016082874.tif 000004
【図３】
2016082874.tif 000005
【図４】
2016082874.tif 000006
【図５】
2016082874.tif 000007
【図６Ａ】
2016082874.tif 000008
【図６Ｂ】
2016082874.tif 000009